(57)【要約】【課題】一方のピニオンに無理な力が加わりギヤのずれが発生して可動框が傾斜したとしても可動框を元の垂直状態に容易に復帰させることを可能とする。【解決手段】建物の開口に設けられる枠体２と、該枠体２に開閉自在に設けられた障子３ａ，３ｂと、前記枠体２に設けられたロール式遮蔽装置６とを有する開口部装置１であって、前記ロール式遮蔽装置６は、巻取可能な遮蔽材７と、該遮蔽材７を巻取って収納する収納部８と、前記遮蔽材７を前記収納部８から引き出し入れする可動框９と、該可動框９の両端部を摺動自在に案内する案内部１０と、それぞれの案内部１０に設けられたラック１１と、それぞれのラック１１に噛合するピニオン１２と、前記可動框９に沿って回転自在に支持され前記両ピニオン１２を連結する連動軸１３とを備え、前記可動框９にピニオン１２と連動軸１３の連結を解除することが可能な解除機構４１を設けている。【選択図】          図６
2004278129.tif 000002
【特許請求の範囲】
【請求項１】
巻取可能な遮蔽材と、該遮蔽材を巻取って収納する収納部と、前記遮蔽材を前記収納部から引き出し入れする可動框と、該可動框の両端部を摺動自在に案内する案内部と、それぞれの案内部に設けられたラックと、それぞれのラックに噛合するピニオンと、前記可動框に沿って回転自在に支持され前記両ピニオンを連結する連動軸とを備えたロール式遮蔽装置であって、前記可動框にピニオンと連動軸の連結を解除することが可能な解除機構を設けたことを特徴とするロール式遮蔽装置。
【請求項２】
巻取可能な遮蔽材と、該遮蔽材を巻取って収納する収納部と、前記遮蔽材を前記収納部から引き出し入れする可動框と、該可動框の両端部を摺動自在に案内する案内部と、それぞれの案内部に設けられたラックと、それぞれのラックに噛合するピニオンと、前記可動框に沿って回転自在に支持され前記両ピニオンを連結する連動軸とを備えたロール式遮蔽装置であって、前記可動框にピニオンと連動軸の連結を解除することが可能な解除機構を設け、該解除機構は可動框の全開側停止位置と全閉側停止位置の何れか一方または両方に配置された枠部材に当接する反力で作動される操作部材を有していることを特徴とするロール式遮蔽装置。
【請求項３】
建物の開口に設けられる枠体と、該枠体に開閉自在に設けられた障子と、前記枠体に設けられたロール式遮蔽装置とを有する開口部装置であって、前記ロール式遮蔽装置は、巻取可能な遮蔽材と、該遮蔽材を巻取って収納する収納部と、前記遮蔽材を前記収納部から引き出し入れする可動框と、該可動框の両端部を摺動自在に案内する案内部と、それぞれの案内部に設けられたラックと、それぞれのラックに噛合するピニオンと、前記可動框に沿って回転自在に支持され前記両ピニオンを連結する連動軸とを備え、前記可動框にピニオンと連動軸の連結を解除することが可能な解除機構を設けたことを特徴とする開口部装置。
【請求項４】
建物の開口に設けられる枠体と、該枠体に開閉自在に設けられた障子と、前記枠体に設けられたロール式遮蔽装置とを有する開口部装置であって、前記ロール式遮蔽装置は、巻取可能な遮蔽材と、該遮蔽材を巻取って収納する収納部と、前記遮蔽材を前記収納部から引き出し入れする可動框と、該可動框の両端部を摺動自在に案内する案内部と、それぞれの案内部に設けられたラックと、それぞれのラックに噛合するピニオンと、前記可動框に沿って回転自在に支持され前記両ピニオンを連結する連動軸とを備え、前記可動框にピニオンと連動軸の連結を解除することが可能な解除機構を設け、該解除機構は可動框の全開側停止位置と全閉側停止位置の何れか一方または両方に配置された枠部材に当接する反力で作動される操作部材を有していることを特徴とする開口部装置。
【発明の詳細な説明】
【０００１】
【発明の属する技術分野】
本発明は、ロール式遮蔽装置及び開口部装置に係り、特に一方のピニオンに無理な力が加わった時に発生するギヤのずれを容易に直すことができるようにしたロール式遮蔽装置及び開口部装置に関する。
【０００２】
【従来の技術】
開口部装置としては、建物の開口に設けられる枠体と、この枠体内に開閉自在に設けられた障子と、前記枠体に設けられるロール式網戸とを備えたものが知られている（例えば、特公昭５２−１５０８９号公報参照）。前記ロール式網戸は、網体を巻取って収納する収納部と、網体の先端部を保持し網体を収納部から引き出し入れして網戸の開閉を行う可動框と、この可動框の両端部を摺動自在に案内する案内部とを有している。
【０００３】
また、ロール式網戸としては、前記それぞれの案内部にラックを設け、それぞれのラックに噛合するピニオンを前記可動框の両端部に配し、両ピニオンを連動軸で連結することにより、可動框の長手方向の何れの位置を握って操作しても可動框が傾くこと無く一定の姿勢を保ったまま平行に且つ円滑に移動できるようにしたものも提案されている。
【０００４】
【特許文献１】
特公昭５２−１５０８９号公報
【０００５】
【発明が解決しようとする課題】
しかしながら、前記ロール式網戸ないし該ロール式網戸を備えた開口部装置においては、万が一、片方（一方）のピニオン１２が例えばごみを噛んで動かなくなった時に無理に可動框９を動かそうとしたり、或いは可動框９の片側に通常の操作以上の強い衝撃を加えたりした場合、一方のピニオン１２とラック１１のギヤ（噛合部）に強い力が加わり、ギヤのずれ（隣のギヤへの歯飛び）が発生することがある。このようなギヤのずれが発生すると、可動框が傾斜してしまうため、見栄えが悪いだけでなく、遮蔽性能が落ちて虫が侵入し易くなるという問題がある。そして、両ピニオンがラックにそれぞれ噛合しているため、ギヤのずれが発生すると、可動框を元の垂直状態に復帰させることが困難であった。
【０００６】
本発明は、前記事情を考慮してなされたもので、一方のピニオンに無理な力が加わりギヤのずれが発生して可動框が傾斜したとしても可動框を元の垂直状態に容易に復帰させることができるロール式遮蔽装置及び開口部装置を提供することにある。
【０００７】
【課題を解決するための手段】
本発明のうち、請求項１の発明は、巻取可能な遮蔽材と、該遮蔽材を巻取って収納する収納部と、前記遮蔽材を前記収納部から引き出し入れする可動框と、該可動框の両端部を摺動自在に案内する案内部と、それぞれの案内部に設けられたラックと、それぞれのラックに噛合するピニオンと、前記可動框に沿って回転自在に支持され前記両ピニオンを連結する連動軸とを備えたロール式遮蔽装置であって、前記可動框にピニオンと連動軸の連結を解除することが可能な解除機構を設けたことを特徴とする。
【０００８】
請求項２の発明は、巻取可能な遮蔽材と、該遮蔽材を巻取って収納する収納部と、前記遮蔽材を前記収納部から引き出し入れする可動框と、該可動框の両端部を摺動自在に案内する案内部と、それぞれの案内部に設けられたラックと、それぞれのラックに噛合するピニオンと、前記可動框に沿って回転自在に支持され前記両ピニオンを連結する連動軸とを備えたロール式遮蔽装置であって、前記可動框にピニオンと連動軸の連結を解除することが可能な解除機構を設け、該解除機構は可動框の全開側停止位置と全閉側停止位置の何れか一方または両方に配置された枠部材に当接する反力で作動される操作部材を有していることを特徴とする。
【０００９】
請求項３の発明は、建物の開口に設けられる枠体と、該枠体に開閉自在に設けられた障子と、前記枠体に設けられたロール式遮蔽装置とを有する開口部装置であって、前記ロール式遮蔽装置は、巻取可能な遮蔽材と、該遮蔽材を巻取って収納する収納部と、前記遮蔽材を前記収納部から引き出し入れする可動框と、該可動框の両端部を摺動自在に案内する案内部と、それぞれの案内部に設けられたラックと、それぞれのラックに噛合するピニオンと、前記可動框に沿って回転自在に支持され前記両ピニオンを連結する連動軸とを備え、前記可動框にピニオンと連動軸の連結を解除することが可能な解除機構を設けたことを特徴とする。
【００１０】
請求項４の発明は、建物の開口に設けられる枠体と、該枠体に開閉自在に設けられた障子と、前記枠体に設けられたロール式遮蔽装置とを有する開口部装置であって、前記ロール式遮蔽装置は、巻取可能な遮蔽材と、該遮蔽材を巻取って収納する収納部と、前記遮蔽材を前記収納部から引き出し入れする可動框と、該可動框の両端部を摺動自在に案内する案内部と、それぞれの案内部に設けられたラックと、それぞれのラックに噛合するピニオンと、前記可動框に沿って回転自在に支持され前記両ピニオンを連結する連動軸とを備え、前記可動框にピニオンと連動軸の連結を解除することが可能な解除機構を設け、該解除機構は可動框の全開側停止位置と全閉側停止位置の何れか一方または両方に配置された枠部材に当接する反力で作動される操作部材を有していることを特徴とする。
【００１１】
【発明の実施の形態】
以下に、本発明の実施の形態を添付図面に基いて詳述する。図１は本発明の実施の形態を示す開口部戸の縦断面図、図２は同開口部装置の横断面図、図３はロール式網戸の使用状態を示す横断面図、図４は網体を概略的に示す図で、（ａ）は正面図、（ｂ）は（ａ）のＡ−Ａ線断面図、（ｃ）は（ａ）のＢ−Ｂ線断面図、図５は可動框の一端を概略的に示す斜視図である。
【００１２】
図１〜図３に示すように、開口部装置１は、建物の開口に設けられるサッシ枠である枠体２と、この枠体２内に開閉自在に設けられた障子３ａ，３ｂと、前記枠体２に設けられるロール式遮蔽装置であるロール式網戸６とを備えている。前記枠体２は、例えばアルミ押出形材からなる上枠２ａ、下枠２ｂ及び左右の縦枠２ｃ，２ｄからなっている。図示例の開口部装置１は引違い窓サッシとして構成されており、枠体２内に内外の障子３ａ，３ｂが横方向に引違い状に開閉自在に設けられている。障子３ａ，３ｂは、例えばアルミ押出形材からなる上框４ａ、下框４ｂ及び左右の縦框４ｃ，４ｄからなる框体４内にパネル例えばガラスパネル５を装着してなる。
【００１３】
前記ロール式網戸６は、巻取可能な遮蔽材である網体７と、この網体７を巻取って収納する収納部８と、その網体７の先端部を保持し網体７を収納部８から引き出し入れして網戸６の開閉を行う可動框（戸先框ともいう）９と、この可動框９の両端部を摺動自在に案内する案内部１０，１０と、それぞれの案内部１０に設けられたラック１１と、それぞれのラック１１に噛合するピニオン１２と、前記可動框９に沿って回転自在に支持され前記両ピニオン１２，１２を連結する連動軸１３とを備えている。前記収納部８内には網体７を巻取る巻取部である巻取軸１５が回転自在に設けられ、この巻取軸１５が網体７を巻取る方向に付勢手段である図示しないバネにより付勢されている。
【００１４】
図示例の開口部装置１は枠体２の左右にロール式網戸６，６を備えている。左側のロール式網戸６は図３に示すように開状態にある外障子３ｂの戸先框４ｄの室内面に取付けた戸先補助框１６との間を網体７で覆うようになっており、右側のロール式網戸６は開状態の内障子３ａの戸先框４ｄとの間を網体７で覆うようになっている。左側のロール式網戸６の可動框９には外障子３ｂの戸先補助框１６との間を塞いで虫の侵入を防止するヒレ状の第１の虫除け部材１７ａ及び上枠２ａ、下枠２ｂとの間を塞いで虫の侵入を防止するヒレ状の第２の虫除け部材１７ｂが設けられている。右側のロール式網戸６の可動框９には内障子３ａの戸先框４ｄとの間を塞いで虫の侵入を防止するヒレ状の第１の虫除け部材１７ａ及び上枠２ａ、下枠２ｂとの間を塞いで虫の侵入を防止するヒレ状の第２の虫除け部材１７ｂが設けられている。なお、虫除け部材１７ａ，１７ｂはモヘアからなっていても良い。
【００１５】
図示例では、収納部８は左右の縦枠２ｃ，２ｄの室内側にそれぞれ別体で設けられ、案内部１０は上枠２ａ及び下枠２ｂの室内側にそれぞれ別体で設けられている。具体的には、サッシ枠である枠体２の室内面にロール式網戸６専用の枠体１８が固着具であるネジ１９ａと連結金具１９ｂを介して着脱自在に取付けられている。このロール式網戸６の枠体１８は、例えばアルミ押出形材からなる上枠材１８ａ、下枠材１８ｂ及び左右の縦枠材１８ｃ，１８ｄからなり、上枠材１８ａと下枠材１８ｂは上枠２ａと下枠２ｂの室内面に取付けられ、左右の縦枠材１８ｃ，１８ｄは左右の縦枠２ｃ，２ｄの室内面に取付けられている。
【００１６】
そして、左右の縦枠材１８ｃ，１８ｄに収納部８，８がそれぞれ設けられ、上枠材１８ａと下枠材１８ｂに左右の可動框９，９に共通の案内部１０，１０が設けられている。収納部８は縦枠１８ｃ、１８ｄと一体または別体の枠部材からなっている。上枠材１８ａと下枠材１８ｂの対向面には、長手方向（左右方向）に沿って案内部１０としてのガイド溝２０が設けられている。前記収納部８には網体７を引き出すための引出口部２１が設けられているが、この引出口部２１はガイド溝２０の位置に位置されていることが好ましい。
【００１７】
前記網体７の先端部を可動框９に固定する手段として、図４の（ａ）ないし（ｂ）に示すように網体７の先端部には袋部２８が形成され、この袋部２８に芯材（抜け止め材ともいう）２９が挿入されてこれが前記可動框９に固定されている。具体的には、網体７の先端部は、補強のために折り返されて縫製糸３０ａにより図の上下方向に連通した袋状に縫製されており、この袋部２８を利用して芯材２９が挿入されている。芯材２９は、例えばアルミパイプからなっているが、ある程度の剛性を有する棒状であれば材質は問わない。
【００１８】
前記網体７の両側縁部（図では上下縁部）は、ガイド溝２０から抜けるのを防止するために図４の（ａ）ないし（ｃ）に示すように折り返されて縫製糸３０ｂにより長手方向（図では左右方向）に連通した袋状に縫製され、袋部３１，３１が形成されている。図１ないし図５に示すように上枠材１８ａ及び下枠材１８ｂのガイド溝２０内には抜け止めガイド棒２２がガイド溝２０内の略中央部から両縦枠材１８ｃ，１８ｄ近傍に向って片持ち梁状に設けられ、収納部８から網体７を引き出してロール式網戸６を閉める時に網体７の両側部の袋部３１，３１に抜け止めガイド棒２２，２２に挿通されるようになっている。
【００１９】
また、網体７の先端部が上下方向に弛んで網体７の先端側に部分的に皺が寄るのを防止するために、網体７の先端側両端部（図示例では上下両端部）が前記可動框９の両端部（同、上下両端部）に固定されている。具体的には、可動框９の両端部には、例えば合成樹脂製の端部キャップ（ガイド部品ともいう）２３が取付けられ、それぞれの端部キャップ２３には図５に示すように網体７の先端側端部を挟んで固定する一対の挟持片２４ａ，２４ｂが設けられている。両挟持片２４ａ，２４ｂの対向面には網体７の滑り止めのために互いに係合する凹凸部２５が形成されている。
【００２０】
前記可動框９は、例えばアルミニウム押出形材からなり、内部には網体７の先端部の芯材２９を長手方向から収容保持する横断面略Ｃ字状の保持部２６と、網体７の先端部を収容部２６に引入れるスリット部２７と、連動軸１３を挿通収容する中空部３２とが形成されている。ピニオン１２は、施工誤差を吸収し得るように端部キャップ２３に対して軸方向（図示例では上下方向）に所定量例えば４ｍｍ程度移動可能に支持されており、ピニオン１２のボス部には、ガイド溝２０の溝縁部２０ａに沿って摺動自在に係合する環状溝４２が設けられている。
【００２１】
ところで、可動框９の両端にピニオン１２を配置し、両ピニオン１２を連動軸１３で連結したものにおいては、万が一、片方のピニオン１２が例えばごみを噛んで動かなくなった時に無理に可動框９を動かそうとしたり、或いは可動框９の片側に通常の操作以上の強い衝撃を加えたりして、一方のピニオン１２に無理な力が加わり、ギヤのずれが発生する場合がある。ギヤのずれ（歯飛び）が発生すると、可動框９が開閉方向に対して垂直の状態から傾斜し、見栄えが悪くなるとともに遮蔽性能が低下する。
【００２２】
そこで、前記ギヤのずれを直して可動框９を垂直状態に復帰させるために、図６〜図９に示すように前記可動框９にはピニオン１２と連動軸１１の連結を解除することが可能な解除機構４１が設けられている。図６は可動框の一端を概略的に示す斜視図、図７は操作部材を概略的に示す図で、（ａ）は非作動状態の側面図、（ｂ）は作動状態の側面図である。図８は解除機構を概略的に示す図で、（ａ）は非作動状態の斜視図、（ｂ）は作動状態の斜視図、図９は解除機構を構成する部品の概略的分解斜視図である。
【００２３】
この解除機構４１は、可動框９の全開側停止位置と全閉側停止位置の何れか一方または両方（本実施例では、全開側停止位置）に配置された枠部材である収納部８に当接する反力で作動される操作部材（トリガーともいう）４２を有している。実施例では、解除機構４１は可動框９の両端の端部キャップ２３，２３にそれぞれ設けられ、操作部材４２は各端部キャップ２３の前記収納部８に対向する面に押し込み可能に突出した状態で設けられている（図３参照）。操作部材４２は棒状に突出して形成されており、操作部材４２の基部の後端側には操作部材４２を突出方向に付勢するスプリング４３が設けられている（図７参照）。
【００２４】
前記解除機構４１として、端部キャップ２３の内部には、図８ないし図９に示すように一端に内歯歯車４４ａを有し、他端に内筒（スぺーサ）４５を介して前記ピニオン１２のボス部を摺動可能に収容した円筒状の第１歯車部材（内歯車ケース）４４が回転可能に設けられているとともに、この第１歯車部材４４の内歯歯車４４ａに対して係合離脱可能な外歯歯車４６ａを一端に有する第２歯車部材（係合歯車）４６が回転可能及び軸方向に摺動可能に設けられている。第１歯車部材４４はピニオン１２と一体に回転するようになっている。第１歯車部材４４内には第２歯車部材４６を第１歯車部材４４内部の離脱位置から内歯歯車４４ａに係合する係合位置に付勢する付勢手段であるスプリング４７が設けられている。図８の（ａ）は第２歯車部材が係合位置にある状態を、（ｂ）は離脱位置にある状態を示している。前記内筒４５は第１歯車部材４４内にスプリング４７を組込むために別体で設けられているが、一体に設けられていても良い。ピニオン１２を前述したように軸方向に所定範囲で移動可能とするためにボス部には長穴４８が設けられ、内筒４５を含む第１歯車部材４４にはその長穴４８に摺動可能に係合するピン４９が直径方向に貫通して設けられている。
【００２５】
前記端部キャップ２３の内部には第２歯車部材４６を回転可能に挿通するとともに第２歯車部材４６の軸方向の摺動を所定範囲に規制する仕切壁５０が設けられている。第２歯車部材４６から連動軸１３に回転を伝えるために、端部キャップ２３には第２歯車部材４６のボス部内に形成した横断面略方形の係合穴４６ｂに摺動可能に係合する係合部５１ａを有する軸受部材５１が回転可能に設けられ、この軸受部材５１の基部に連動軸１３の端部が嵌合支持されている。
【００２６】
樹脂製の第１歯車部材４４や第２歯車部材４６等を補強するために、金属製例えばステンレスの芯軸（シャフト）５２が用いられている。この芯軸５２は中央に断面方形の基部５２ａを有している。ピニオン１２には芯軸５２の基部５２ａの一部を含む一端が軸方向に摺動可能に嵌合され、ピニオン１２から芯軸５２が引き抜けないように芯軸５２の基部５２ａに前記ピン４９が貫通されている。前記内筒４５の一端には前記芯軸５２の基部５２ａが摺動可能に嵌合する嵌合孔４５ａが設けられている。第１歯車部材４４の先端部及び軸受部材５１の先端部には芯軸５２の他端が摺動可能に嵌合する軸孔が形成されている（図示省略）。
【００２７】
また、前記操作部材４２は、スプリング４３の付勢力に抗して押し込まれると、第２歯車部材４６をスプリング４７の付勢力に抗して係合位置から離脱位置に押し動かす連動部材５３を第２歯車部材４６との間に有している。この連動部材５３は、図８に示すように第２歯車部材４６のボス部に緩く嵌合する嵌合部５３ａと、図７に示すように操作部材４２の基部４２ａに設けられた突状部４２ｂが水平の矢印方向へ押し込まれると、その押し込み方向と直角の矢印方向に前記嵌合部５３ａを押し動かすためのりカム部５３ｂとを有している。第２歯車部材４６のボス部の外周には嵌合部５３ａから押し動かす方向の力を受けるための鍔部４６ｃが形成されている。操作部材４２の押し込み力が解除されると、操作部材４２がスプリング４３の付勢力により元の突出位置（非作動状態）に自動的に復帰し、これに伴って、第２歯車部材４６がスプリング４７の付勢力により第１歯車部材４４と係合する係合位置に自動的に復帰し、ピニオン１２と連動軸１３が連結（結合）される。
【００２８】
以上の構成からなる開口部装置１ないしロール式網戸（ロール式遮蔽装置）６によれば、一方のピニオン１２に無理な力が加わりギヤのずれが発生して可動框９が傾斜した場合、次の２つの方法でピニオンと連動軸の連結を解除して可動框９を元の垂直状態に容易に復帰させることができる。先ず、第１の方法は、可動框９を傾斜状態のままで全開側停止位置まで移動し、収納部８に当接する反力で操作部材４２を押し込んでピニオン１２と連動軸１３の連結を解除して可動框９を元の垂直状態に復帰させる方法であり、第２の方法は操作部材４２を手で直接押し込んでピニオン１２と連動軸１３の連結を解除して可動框９を元の垂直状態に復帰させる方法である。
【００２９】
何れの方法においても、操作部材４２が押し込まれと、連動部材５３を介して第２歯車部材４６が第１歯車部材４４との係合位置から離脱位置に押し動かされ、ピニオン１２と連動軸１３の連結が解除される。ピニオン１２と連動軸１３の連結が解除されると、両ピニオン１２，１２の連動状態が解除されるので、可動框９の姿勢を元の垂直状態に容易に修正ないし復帰させることができる。換言すれば、ギヤがずれてしまっても可動框９を全開側の収納部８の位置まで移動させて収納部８に当接させるだけで、或いは操作部材４２を直接操作するだけで可動框９の姿勢を傾斜状態から収納部８と平行な元の垂直状態に自動的に戻す（直す）ことができ、ギヤのずれを自動的に容易に修正することできる。このようにギヤのずれにより傾斜した可動框９を元の垂直状態に容易に復帰させることができるため、可動框９が傾斜することにより見栄えが悪くなったり、遮蔽性能が低下したりする問題を容易に解消することができる。
【００３０】
また、このようにギヤのずれを容易に修正することができるため、組立時に上下のラック１１，１１に対する上下のピニオン１２，１２の位置合わせをする必要がなく、組立性の向上が図れる。更に、組立時には、操作部材４２を押した状態であれば上下のガイド溝２０に対して上下別々にピニオン１２を横方向から容易に入れてラック１１に噛合させることができるので、組立性の向上が図れる。
【００３１】
なお、前記可動框９の傾斜の向きは右側と左側の２通りであるため、何れの傾斜の向きにも対応できるように、可動框９の両端部すなわち両端部キャップ２３に操作部材４２がそれぞれ設けられている。前記実施例では、前記操作部材４２が可動框９を網戸全開方向に移動した時に枠部材である収納部８に当接するように可動框９の全開側側面に設けている例が示されているが、操作部材４２は可動框９を網戸全閉方向に移動した時に枠部材（例えば網戸が両開きに設けられている場合にはもう一方の可動框）に当接するように可動框９の全閉側側面に設けても良く、或いは可動框９の全開側側面及び全閉側側面の両方に設けても良い。このようにすれば、可動框９の開側及び閉側の両ストロークエンドでギヤのずれすなわち可動框９の傾斜を修正することができる。
【００３２】
以上、本発明の実施の形態を図面により詳述してきたが、本発明は前記実施の形態に限定されるものではなく、本発明の要旨を逸脱しない範囲での種々の設計変更等が可能である。例えば、本発明は、引違い窓だけでなく、片引き窓、縦辷り窓、障子が上下方向に開閉自在に設けられた上げ下げ窓等にも適用することが可能である。また、ロール式網戸（ロール式遮蔽装置）は横引きタイプだけでなく、縦引きタイプであっても良い。更に、前記実施の形態ではロール式網戸を２つ用いて両開き式に構成した例が示されているが、片引き式に構成したものであっても良い。また、ロール式網戸の収納部や案内部は、サッシ枠の枠体に一体形成ないし一体に設けられていても良い。
【００３３】
開口部装置としては、サッシとは別体で、ロール式網戸（ロール式遮蔽装置）のみからなっていても良い。ロール式遮蔽装置としては、ロール式網戸以外に、例えばロールスクリーン等であっても良い。また、遮蔽材としては、網や網体以外に、例えば布やスクリーン等であっても良い。可動框にはこれを任意の位置に停止させるための停止機構、或いは可動框を障子の戸先框に引掛ける係止機構が設けられていても良い。停止機構としては、例えば連動軸に歯車を設け、この歯車にストッパーを係合させるようにした歯車式が好ましいが、枠に対してゴム等の制動部材を押しつけて可動框を停止させる摩擦制動式であっても良い。
【００３４】
【発明の効果】
以上要するに本発明によれば、次のような効果を奏することができる。
【００３５】
（１）請求項１の発明によれば、巻取可能な遮蔽材と、該遮蔽材を巻取って収納する収納部と、前記遮蔽材を前記収納部から引き出し入れする可動框と、該可動框の両端部を摺動自在に案内する案内部と、それぞれの案内部に設けられたラックと、それぞれのラックに噛合するピニオンと、前記可動框に沿って回転自在に支持され前記両ピニオンを連結する連動軸とを備えたロール式遮蔽装置であって、前記可動框にピニオンと連動軸の連結を解除することが可能な解除機構を設けているため、一方のピニオンに無理な力が加わりギヤのずれが発生して可動框が傾斜したとしても、解除機構でピニオンと連動軸の連結を解除して可動框を元の垂直状態に容易に復帰させることができる。
（２）請求項２の発明によれば、巻取可能な遮蔽材と、該遮蔽材を巻取って収納する収納部と、前記遮蔽材を前記収納部から引き出し入れする可動框と、該可動框の両端部を摺動自在に案内する案内部と、それぞれの案内部に設けられたラックと、それぞれのラックに噛合するピニオンと、前記可動框に沿って回転自在に支持され前記両ピニオンを連結する連動軸とを備えたロール式遮蔽装置であって、前記可動框にピニオンと連動軸の連結を解除することが可能な解除機構を設け、該解除機構は可動框の全開側停止位置と全閉側停止位置の何れか一方または両方に配置された枠部材に当接する反力で作動される操作部材を有しているため、一方のピニオンに無理な力が加わりギヤのずれが発生して可動框が傾斜したとしても、可動框を移動して操作部材を枠部材に当接させるだけでピニオンと連動軸の連結を解除することができ、可動框を元の垂直状態に容易に復帰させることができる。
（３）請求項３の発明によれば、建物の開口に設けられる枠体と、該枠体に開閉自在に設けられた障子と、前記枠体に設けられたロール式遮蔽装置とを有する開口部装置であって、前記ロール式遮蔽装置は、巻取可能な遮蔽材と、該遮蔽材を巻取って収納する収納部と、前記遮蔽材を前記収納部から引き出し入れする可動框と、該可動框の両端部を摺動自在に案内する案内部と、それぞれの案内部に設けられたラックと、それぞれのラックに噛合するピニオンと、前記可動框に沿って回転自在に支持され前記両ピニオンを連結する連動軸とを備え、前記可動框にピニオンと連動軸の連結を解除することが可能な解除機構を設けているため、一方のピニオンに無理な力が加わりギヤのずれが発生して可動框が傾斜したとしても、解除機構でピニオンと連動軸の連結を解除して可動框を元の垂直状態に容易に復帰させることができる。
（４）請求項４の発明によれば、建物の開口に設けられる枠体と、該枠体に開閉自在に設けられた障子と、前記枠体に設けられたロール式遮蔽装置とを有する開口部装置であって、前記ロール式遮蔽装置は、巻取可能な遮蔽材と、該遮蔽材を巻取って収納する収納部と、前記遮蔽材を前記収納部から引き出し入れする可動框と、該可動框の両端部を摺動自在に案内する案内部と、それぞれの案内部に設けられたラックと、それぞれのラックに噛合するピニオンと、前記可動框に沿って回転自在に支持され前記両ピニオンを連結する連動軸とを備え、前記可動框にピニオンと連動軸の連結を解除することが可能な解除機構を設け、該解除機構は可動框の全開側停止位置と全閉側停止位置の何れか一方または両方に配置された枠部材に当接する反力で作動される操作部材を有しているため、一方のピニオンに無理な力が加わりギヤのずれが発生して可動框が傾斜したとしても、可動框を移動して操作部材を枠部材に当接させるだけでピニオンと連動軸の連結を解除することができ、可動框を元の垂直状態に容易に復帰させることができる。
【図面の簡単な説明】
【図１】本発明の実施の形態を示す開口部装置の縦断面図である。
【図２】同開口部装置の横断面図である。
【図３】ロール式網戸の使用状態を示す横断面図である。
【図４】網体を概略的に示す図で、（ａ）は正面図、（ｂ）は（ａ）のＡ−Ａ線断面図、（ｃ）は（ａ）のＢ−Ｂ線断面図である。
【図５】可動框の一端を概略的に示す斜視図である。
【図６】可動框の一端を概略的に示す斜視図である。
【図７】操作部材を概略的に示す図で、（ａ）は非作動状態の側面図、（ｂ）は作動状態の側面図である
【図８】解除機構を概略的に示す図で、（ａ）は非作動状態の斜視図、（ｂ）は作動状態の斜視図である。
【図９】解除機構を構成する部品の概略的分解斜視図である。
【符号の説明】
１  開口部装置
２  枠体
３ａ，３ｂ  障子
６  ロール式網戸（ロール式遮蔽装置）
７  網体（遮蔽材）
８  収納部
９  可動框
１０  案内部
１１  ラック
１２  ピニオン
１３  連動軸
４１  解除機構
４２  操作部材
【図１】
2004278129.tif 000003
【図２】
2004278129.tif 000004
【図３】
2004278129.tif 000005
【図４】
2004278129.tif 000006
【図５】
2004278129.tif 000007
【図６】
2004278129.tif 000008
【図７】
2004278129.tif 000009
【図８】
2004278129.tif 000010
【図９】
2004278129.tif 000011
【手続補正書】
【提出日】平成15年12月5日(2003.12.5)
【手続補正１】
【補正対象書類名】明細書
【補正対象項目名】０００２
【補正方法】変更
【補正の内容】
【０００２】
【従来の技術】
開口部装置としては、建物の開口に設けられる枠体と、この枠体内に開閉自在に設けられた障子と、前記枠体に設けられるロール式網戸とを備えたものが知られている（例えば、実公昭５２−１５０８９号公報参照）。前記ロール式網戸は、網体を巻取って収納する収納部と、網体の先端部を保持し網体を収納部から引き出し入れして網戸の開閉を行う可動框と、この可動框の両端部を摺動自在に案内する案内部とを有している。


【手続補正２】
【補正対象書類名】明細書
【補正対象項目名】０００４
【補正方法】変更
【補正の内容】
【０００４】
【特許文献１】
実公昭５２−１５０８９号公報